(57)【要約】      （修正有）【課題】前屈及び座位姿勢を自由にとることができると共にこれらの姿勢から容易に回復するための復元力を助勢するアシストスーツを提供する。【解決手段】背中を覆うベスト背面部１と腰に後方から巻きつけて固定自在の腰ベルト５と、前記ベスト背面部の左右頂部から両肩及び胸の前面に沿って下降し、下端が前記腰ベルトに止着された肩ベルト１１，１１ａと、前記ベスト背面部の上部左右に形成されている開通穴が形成されたポケット３ｂと、前記腰ベルトに形成されたバックプレートポケットと前記バックプレートポケットに内蔵され下端が回転自在にカシメ止めされ、前記ポケットの開通穴内に先端側が挿通され、かつ側面視Ｓ字状に形成された帯状弾性部材と臀部を覆い、前記腰ベルトに上端が連結される臀部シート８と、前記臀部シートの下縁に止着され大腿部に固定自在の大腿部ベルト９，９ａで構成される助勢するアシストスーツ。【選択図】図１
2019058526.tif 000002
【特許請求の範囲】
【請求項１】
被着者の背中を覆うように形成されたベスト背面部と、
前記被着者の腰に後方から巻きつけて固定自在の腰ベルトと、
前記ベスト背面部の左右肩部から被着者の胸の前面に沿って下降し、下端が前記腰ベルトにそれぞれ止着された肩ベルトと、
前記ベスト背面部の背面の上部左右に形成されていると共に下方から上方に抜ける開通穴が形成されて前記肩ベルトへ連続するように形成された弾性体ポケットと、
前記腰ベルトに形成されたバックプレートポケットと前記バックプレートポケットに内蔵されたバックプレートに対して下端が回転自在にカシメ止めされていると共に前記弾性体ポケットの開通穴内に先端側が挿通され、かつ側面視Ｓ字状に形成された帯状弾性部材と、
前記被着者の臀部を覆い、かつ前記腰ベルトに上端が連結されて成る伸縮性の臀部シートと、
前記臀部シートの下縁に止着されていると共に被着者の左右の大腿部に固定自在の大腿部ベルトと、
で構成された被着者の前屈及び座位から立ち姿勢に回復する力を助勢するアシストスーツ。
【請求項２】
被着者の胸の正面で前記左右の肩ベルトを寄せるようにして連結するためのストラップを設けてなる請求項１に記載のアシストスーツ。
【請求項３】
前記肩ベルトの一部を伸縮性素材で形成してなる請求項１に記載のアシストスーツ。
【請求項４】
前記帯状弾性部材を２枚以上で形成すると共に前記ポケットの数をこの帯状弾性部材の枚数に合わせて形成してなる請求項１に記載のアシストスーツ。
【発明の詳細な説明】
【技術分野】
【０００１】
本発明は、前屈姿勢及び座位姿勢を伴う被着者が身体に装着して使用することにより、前屈姿勢及び座位姿勢から立位姿勢に回復する際に被着者が受ける身体的な負荷を軽減するアシストスーツに関する。
【背景技術】
【０００２】
工場等において前屈姿勢及び座位姿勢をとることの多い作業従事者や介護施設の従事者、或いは農作業従事者等であって、前屈姿勢及び座位姿勢を伴う被着者が立位姿勢に回復するときの身体的負荷を軽減するために身体に装着して使用する補助装置の例として次のような内容のものが公知である。
【０００３】
例えば、特許文献１に記載の補助装置は、曲げ方向に弾性を有する弾性部材１０を背部から大腿部に至るよう身体背面に左右独立して配置し、弾性部材の上端はベスト状衣服２０に設けられた保持部２１において長手方向に摺動自在となるよう身体に装着し、弾性部材の下端は大腿部に装着する大腿部ベルト３０と連結し、大腿部ベルト３と連結する臀部パッド４０を体幹側部に位置する連結ベルト５０によってベスト状衣服から吊り下げ、前屈すると弾性部材の復元力により腰部の負担が軽減すると共に、弾性部材上端の摺動により身体背面の体表距離変化が吸収され、拘束感なく動作することが出来、また、連結ベルトにより弾性部材の装着位置が保持されるため、装着位置保持のために身体を周方向に締め付ける必要が無い構成である。
【０００４】
しかし、この補助装置において、弾性部材１０は大腿部ベルト３０の下端部に止着されているため、前屈動作時の弾性部材１０は大腿部から臀部の外を通って背面まで一連に繋がれて湾曲するため、前屈時の復元力には有効であるが、座位姿勢そのものがとれないため、使用上不便である。
【０００５】
また、特許文献２には、簡易な操作で腰背部の筋を補助する機能を解除又は復帰できる腰部負担軽減具をとして、
左肩、背中、右腰部、右臀部、及び右大腿背面部を通って右膝部にかけて配置される一方の主部材１１と、右肩、背中、左腰部、左臀部、及び左大腿背面部を通って左膝部にかけて配置される他方の主部材１２とを備え、一方の主部材１１と他方の主部材１２とは背中で交差し、一方の主部材１１と他方の主部材１２とは交差箇所１３より下方で離間し、一方の主部材１１は交差箇所１３より下方で右体側部に変位し、他方の主部材１２は交差箇所１３より下方で左体側部に変位した圧迫回避機能付き腰部負担軽減具が開示されている。
【０００６】
この負担軽減具は、腰背部の筋を補助する機能に特化されていて、前屈や座位から立位に復元する際の補助力には殆ど寄与しない。
【０００７】
また、特許文献３には、胸を張りながら骨盤の前傾姿勢を保つことを効果的に補佐できる衣服であって、アンダーウェア１の背面部には、大殿筋の仙骨側を、当該仙骨に対応する領域を内側に位置させるようにカバーするパターンＰＡ１が形成され、アンダーウェア１の正面部において、パターンＰＡ１が形成された領域に対応する正面部の領域内の下部領域で下腹部周辺をカバーするようにパターンＰＡ２が形成され、背面部には、着用時に胸部を広げる向きの張力を両肩部に発生させるパターンＰＢ１が形成された衣服が開示されている。
【０００８】
この衣服の場合は、アンダーウェアの各部位にパターン化された弾性素材を継ぎ合わせているだけのため、動きの自由度は保たれるが、前屈時及び座位時から立位までの復元力への寄与は少なく、またこれを大きく設定すると動作そのものがしにくくなるという問題がある。
【先行技術文献】
【特許文献】
【０００９】
【特許文献１】特許第５８８７６７１号公報
【特許文献２】特開２０１６−０８３２５４号公報
【特許文献３】特開２０１１−１５７６７４号公報
【発明の開示】
【発明が解決しようとする課題】
【００１０】
本発明の目的は、前屈及び座位姿勢を自由にとることができると共にこれらの姿勢から立位に移る時の復元力を付加したアシストスーツを提供することである。
【課題を解決するための手段】
【００１１】
上記目的を達成するため、請求項１に記載の発明は、被着者の前屈及び座位から立ち姿勢に回復する力を助勢するアシストスーツにおいて、被着者の背中を覆うように形成されたベスト背面部と、前記被着者の腰に後方から巻きつけて固定自在の腰ベルトと、前記ベスト背面部の左右肩部から被着者の胸の前面に沿って下降し、下端が前記腰ベルトにそれぞれ止着された肩ベルトと、前記ベスト背面部の背面の上部左右に形成されていると共に下方から上方に抜ける開通穴が形成されて前記肩ベルトへ連続するように形成された弾性体ポケットと、前記腰ベルトに形成されたバックプレートポケットと前記バックプレートポケットに内蔵されたバックプレートに対して下端が回転自在にカシメ止めされていると共に前記弾性体ポケットの開通穴内に先端側が挿通され、かつ側面視Ｓ字状に形成された帯状弾性部材と、前記被着者の臀部を覆い、かつ前記腰ベルトに上端が連結されて成る伸縮性臀部シートと、前記臀部シートの下縁に止着されていると共に被着者の左右の大腿部に固定自在の大腿部ベルトと、で構成されたことを特徴とするものである。
【００１２】
また、請求項２に記載の発明は、請求項１に記載のアシストスーツにおいて、被着者の胸の正面で前記左右の肩ベルトを寄せるようにして連結するためのストラップを設けてなること、を特徴とするものである。
【００１３】
また、請求項３に記載の発明は、請求項１に記載のアシストスーツにおいて、前記肩ベルトの一部を伸縮性素材で形成してなること、を特徴とするものである。
【００１４】
また、請求項４に記載の発明は、請求項１に記載のアシストスーツにおいて、前記帯状弾性部材を２枚以上で形成すると共に前記ポケットの数をこの帯状弾性部材の枚数に合わせて形成してなること、を特徴とするものである。
【発明の効果】
【００１５】
この発明によると、直立姿勢から前屈姿勢に移る時は帯状弾性帯は身体の前屈に併せてＳ字変形部が円曲変形する。
【００１６】
そして、この前屈姿勢から、例えば重い荷物を持ち上げようとすると、作業者固有の力に併せて蓄勢された帯状弾性帯の復元力がベスト背面部のポケットを介して上半身が起き上がる方向に作用する。
【００１７】
この結果、前屈時に帯状弾性帯の変形作用により蓄勢された復元力が作業者の上半身に作用して負荷が軽減されるため、荷物等を楽に持ち運ぶことができると共に作業者の力以上の重さの荷物を持ち運ぶこともできる。
【００１８】
この原理により、荷物の積み降ろし、或いは移動等に伴う作業者への負担を軽減できる。
【００１９】
また、着座時には、腰ベルトと大腿部間は伸縮性の臀部シートで締ばれているため、上半身は直立したままで腰周りは自由に屈曲できることから、坐位姿勢がとり易く、また立ち上がることも容易である。
【００２０】
さらに、直立時及び着座時において側面視Ｓ字状に形成された帯状弾性部材が脊椎（背骨）のＳ字カーブに沿って背中を保持するため、アシストスーツ装着による違和感が少なく、同時に、腰部（腰椎部）を腰ベルトと帯状弾性部材が適度な圧力で保持する作用が加わり、姿勢の安定化と疲労軽減効果がある。
【００２１】
本発明の帯状弾性帯の上端は止着されていないため、前屈姿勢時に帯状弾性帯上端と弾性体ポケット間に上下のスライド作用が加わることによって肩の前後方法の動きの自由度が増し、前屈または着座姿勢への移行及び前屈または着座姿勢からの回復動作を簡単かつスムーズに行うことができる。
【００２２】
また、帯状弾性帯の下端はカシメによりバックプレートに回転自在に止着されているため、上半身の左右への屈曲、及びひねり動作の自由度を阻害することが無く、自然に作業を行うことができる。
【図面の簡単な説明】
【００２３】
【図１】アシストスーツの正面図である。
【図２】（Ａ）はアシストスーツを装着した被着者の正面図である。（Ｂ）はアシストスーツを装着した被着者の背面図である。
【図３】（Ａ）は帯状弾性帯とバックプレートの側面視断面図である。（Ｂ）は帯状弾性帯とバックプレートの斜視図である。
【図４】被着者が直立した時の説明図である。
【図５】被着者が少し前屈した時の説明図である。
【図６】被着者が大きく前屈した時の説明図である。
【図７】被着者が座位姿勢をとった時の説明図である。
【発明を実施するための形態】
【実施例】
【００２４】
以下、添付した図面に基づいて本発明の実施形態を詳細に説明する。
【実施例１】
【００２５】
図１はアシストスーツを正面側から見た図、図２の（Ａ）は被着者がアシストスーツを装着した状態の正面図、図２の（Ｂ）は被着者がアシストスーツを装着した状態の背面図である。
【００２６】
本発明のアシストスーツにおいて、符号の１は被着者の背中に密着するベスト背面部であって、このベスト背面部１には左右にナイロンベルト製のポケット３、３ａが形成され、このポケット３、３ａ内には下方から上方へ抜ける開通穴４、４ａがそれぞれ形成されている。
【００２７】
なお、本実施例では、ナイロンベルトでポケット３、３ａを形成しているが、材質はナイロンに限らず伸縮素材ベルト、ストレッチ素材、パワーネット、ゴムベルトなどを使用することも可能である。また、ベスト背面部１に対してポケット３、３ａを直接に形成しても良い。
【００２８】
５は前記ベスト背面部１の下端に連着した腰ベルトであって、この腰ベルト５は、被着者の腰に後方から巻き付けると共に前面で止めベルト６、６ａにより面ファスナー７、７ａを合わせることにより固定自在である。
【００２９】
なお、前記止めベルト６、６ａの素材には弾性材を使用することにより締め付け力に自由度を持たせるようにしても良い。
【００３０】
符号の８は腰ベルト５の下に止着された臀部シート８であって、この臀部シート８は伸縮性を有し、その両側から前方に向けて大腿部ベルト９、９ａが形成されていると共にこの大腿部ベルト９、９ａの左右の先端にはそれぞれ面ファスナーを有する固定ベルト１０、１０ａが取り付けられている。
【００３１】
この臀部シート８の形成素材としては通気性のあるポリエステル製伸縮メッシュ素材が実用的には考えられるが、伸縮性及び耐久性を有する限りその他の素材、例えばニットやジャージー、パワーネット、ゴムやクロロプレンなどを使用しても良い。
【００３２】
１１、１１ａは、前記ベスト背面部１のポケット３、３ａ上端から連続して被着者の両肩を通り胸の前面に沿って下向きに形成された肩ベルトであって、この肩ベルト１１、１１ａの下端には止めベルト１２、１２ａを介して腰ベルト５に止着されると共に、止めベルト１２、１２ａはバックル１３、１３ａにより被着者の肩の高さに合わせて長さを自在に調整することができる。
【００３３】
肩ベルト１１，１１ａ及び止めベルト１２、１２ａにはナイロンベルトを使用したが、体へ密着性を上げて弾性体の作用を有効にしながら窮屈感を少なくするため、弾性を有する伸縮素材ベルト、ゴムベルトを使用することも有効である。
【００３４】
１４は肩ベルト１１、１１ａを胸の正面で引き寄せて止める胸ベルト固定ストラップであって、肩ベルト１１、１１ａが左右に開くのを防ぐことができる。
【００３５】
この胸ベルト固定ストラップ１４は、本実施例では樹脂製バックルで止める構成であるが、その他の止め具、例えば面ファスナーやスナップ等を用いるようにしても良い。
【００３６】
１５、１５ａは、腰ベルト５に形成されたバックプレートポケット３ｂに内蔵されたバックプレート２にリベット止め１７、１７ａされた帯状弾性帯であって、この帯状弾性帯１５、１５ａの上端１６、１６ａ側は、図１図２（Ｂ）に示すように弾性体ポケット３、３ａ下端のポケット開通穴４，４ａに連続するバックプレートポケット３ｂの開口部３ｃからスライド自在に挿入されていて、側面視は被着者の背中の形状に合わせてＳ字状を呈している。
【００３７】
帯状弾性帯１５、１５ａは適度な弾性を有しながら側面視Ｓ型に加工しやすく軽量であることが望ましい。本実施例ではＣＦＲＰ（炭素繊維強化プラスチック）を使用したがこれに限定されることは無く、ＦＲＰ，ＣＦＲＴＰなどカーボンやガラス繊維を添加した繊維強化プラスチック、またはアルミニウム、ステンレス、バネ鋼などの金属を使用することも可能である。
【００３８】
バックプレート２は前記リベット止め用の穴が設けられ、腰部に沿った湾曲に形成されている。材質はＰＰ材（ポリプロピレン）を使用したがこれに限定されず、ナイロン、ポリエチレン、繊維強化プラスチックなどの樹脂、または金属板なども使用可能である。
【００３９】
また、前記帯状弾性体１５、１５ａとバックプレート２は、前述のようにバックプレートポケット３ｂの開口部３ｃから出し入れ自在の構造である。このため、作業による汗や汚れが発生した場合は帯状弾性体１５、１５ａとバックプレート２を簡単に取り外してアシストスーツ本体の洗濯が容易に可能である。
【００４０】
なお、上記実施例において、帯状弾性帯１５、１５ａは２枚であるが、被着者の体力及び作業の質に応じて２枚以上の４枚（４列）に増加することもできるが、枚数を変えずに素材の厚みを変化させたり弾性力の違うものを用意して交換して使用できるようにしても良い。
【００４１】
図５および図６は、アシストスーツを装着した被着者が前屈している状態を示し、臀部シート８及び腰ベルト５は身体に密着したまま前屈動作時に帯状弾性帯１５、１５ａは身体の曲がりに沿ってＳ字状に湾曲し、このとき弾性体には蓄勢が行われる。
【００４２】
この結果、荷物を持ち上げるとき、前屈から元の姿勢に戻ろうとする所謂復元力が作用し、この復元力分身体の回復力が助勢される。
【００４３】
図７は、アシストスーツを装着した被着者が座位姿勢をとっている状態を示し、この時臀部シート８のところで腰は約９０度屈曲しており、この屈曲は臀部シート８の伸縮性により自由度が確保され、立ち姿勢に復元するときは臀部シート８の復元力が作用する。
【００４４】
本発明のアシストスーツは、図５、図６、図７で示した形態での使用が可能であることから、荷物の運搬作業従事者、介護施設の従事者、農作業の従事者等、前屈及び座位姿勢を伴う全ての作業従事者が利用可能であり、また、長年の作業によってついた動作時の身体の癖の解消・矯正にも有効であると共に比較的安価に製作することが可能なため、広く普及する可能性を有している。
【００４５】
また、臀部シート以下の部分をファスナーなどで分離可能な構造とすれば、腰部ベルトより上の部分のみを使用し、運転やデスクワークなどの座位姿勢専用としての使途も可能である。
【符号の説明】
【００４６】
１  ベスト背面部
２  バックプレート
３，３ａ  弾性体ポケット
３ｂ  バックプレートポケット
３ｃ  開口部
４，４ａ  ポケット開通穴
５  腰ベルト
６，６ａ  止めベルト
７，７ａ  面ファスナー
８  臀部シート
９，９ａ  大腿部ベルト
１０，１０ａ  固定ベルト
１１，１１ａ  肩ベルト
１２，１２ａ  止めベルト
１３，１３ａ  バックル
１４  肩ベルト固定ストラップ
１５，１５ａ  帯状弾性帯
１６，１６ａ  帯状弾性帯の上端
１７，１７ａ  リベット止め
【図１】
2019058526.tif 000003
【図２】
2019058526.tif 000004
【図３】
2019058526.tif 000005
【図４】
2019058526.tif 000006
【図５】
2019058526.tif 000007
【図６】
2019058526.tif 000008
【図７】
2019058526.tif 000009